(57)【要約】【課題】画像形成装置本体の収容室に装着された状態におけるがたつきを必要最小限に抑えつつ、収容室に対して円滑に着脱することができるカートリッジを提供すること。【解決手段】カートリッジ３は、一対の区画面９によって区画された収容室１０に対して、一対の区画面９の対向方向（幅方向）に直交する上下方向に沿って着脱自在である。カートリッジ３の筐体２２において、一対の区画面９の両方に接触する部分には、収容室１０に対するカートリッジ３の装着方向における最上流端５０が存在する。前後方向から見たときの筐体２２の左側面２２Ｌの輪郭は、最上流端５０の右端５３を曲率中心とし、最上流端５０の幅方向両端を結ぶ線分５５を曲率半径とする第１円弧５１の内側に配置される。前後方向から見たときの筐体２２の右側面２２Ｒの輪郭は、最上流端５０の左端５４を曲率中心とし、線分５５を曲率半径とする第２円弧５２の内側に配置される。【選択図】図８
2010197654.tif 000002
【特許請求の範囲】
【請求項１】
画像形成装置の装置本体において所定間隔を隔てて対向配置された一対の区画面によって区画された収容室に対して、一対の前記区画面の対向方向に直交する第１方向に沿って着脱自在に装着され、前記対向方向に長手で現像剤を収容する筐体を備えるカートリッジであって、
前記筐体の前記対向方向における一対の側面において、
前記対向方向および前記第１方向の両方に直交する第２方向から見たときの一方の前記側面の輪郭は、前記筐体で一対の前記区画面の両方に接触する部分において、前記収容室に対する前記カートリッジの装着方向最上流端の前記対向方向における他方の端を曲率中心とし、かつ、前記最上流端の前記対向方向における両端を結ぶ線分を曲率半径とする第１円弧上または前記第１円弧の内側に配置され、
前記第２方向から見たときの他方の前記側面の輪郭は、前記最上流端の前記対向方向における一方の端を曲率中心とし、かつ、前記線分を曲率半径とする第２円弧上または前記第２円弧の内側に配置されることを特徴とする、カートリッジ。
【請求項２】
駆動力が伝達されることによって駆動する駆動部材と、
前記側面に形成され、前記第1方向に沿う平坦面と、
前記平坦面に設けられ、前記装置本体から駆動力を受けて前記駆動部材に伝達する伝達部と
を備えていることを特徴とする、請求項１に記載のカートリッジ。
【請求項３】
前記筐体に設けられ、前記第２方向における前記平坦面の端から前記平坦面よりも前記対向方向における外側へ突出し、前記第２方向から見たときの前記側面の輪郭をなすリブを備えていることを特徴とする、請求項２に記載のカートリッジ。
【請求項４】
前記平坦面は、前記側面において凹設された部分に設けられていることを特徴とする、請求項２に記載のカートリッジ。
【請求項５】
前記筺体の前記装着方向上流側端部において、前記対向方向において中央から外れた位置に、把持部を１つ備えていることを特徴とする、請求項２ないし４のいずれかに記載のカートリッジ。
【請求項６】
一対の前記側面のうち前記伝達部が設けられた前記側面とは別の前記側面に設けられ、前記装置本体から電力を受ける電極を備えていることを特徴とする、請求項２ないし５のいずれかに記載のカートリッジ。
【発明の詳細な説明】
【技術分野】
【０００１】
本発明は、画像形成装置に装備されるカートリッジに関する。
【背景技術】
【０００２】
カートリッジとして、画像形成のために機能するプロセスカートリッジが知られている（たとえば、特許文献１参照）。
特許文献１に記載のプロセスカートリッジは、複数設けられ、画像形成装置に装備されている。各プロセスカートリッジには、異なる色の現像剤が収容されている。
ここで、特許文献１に記載の画像形成装置には、複数のプロセスカートリッジを水平方向に並列配置された状態で保持するトレイが備えられている。トレイは、画像形成装置の装置本体に対して水平方向に沿って引き出し自在であり、装置本体からトレイが引き出された状態において、プロセスカートリッジをトレイから引き上げることによって取り出すことができる。
【０００３】
そして、トレイは、所定間隔を隔てて対向配置された一対の側壁を備えており、トレイに保持された状態にある各プロセスカートリッジは、一対の側壁の間に配置されている。
【先行技術文献】
【特許文献】
【０００４】
【特許文献１】特開２００８−１６５０２６号公報
【発明の概要】
【発明が解決しようとする課題】
【０００５】
特許文献１に記載の画像形成装置において、トレイに保持された状態にある各プロセスカートリッジは、トレイの各側壁に対して、僅かな隙間を隔てて対向している。そして、プロセスカートリッジおよび各側壁における互いの対向面は、上下方向に平坦である。
そのため、プロセスカートリッジをトレイから引き上げる際に、プロセスカートリッジの姿勢が少しでも傾くと、プロセスカートリッジがトレイの各側壁に引っ掛かり、プロセスカートリッジを円滑に引き上げることができないおそれがある。逆にプロセスカートリッジをトレイに上から取り付ける際にも、同様の不具合が生じ得る。
【０００６】
だからと言って、プロセスカートリッジを円滑に引き上げる（取り付ける）ことができるように、トレイの各側壁とプロセスカートリッジとの隙間を大きくし過ぎると、プロセスカートリッジが、一対の側壁の間に配置された状態において不必要にがたつき易い。このようにプロセスカートリッジががたつき易い状態で、たとえば、各側壁を介して装置本体からプロセスカートリッジに駆動力や電力を供給する場合には、位置の安定しないプロセスカートリッジに駆動力や電力を安定して供給することは困難である。よって、一対の側壁の間に配置された状態におけるプロセスカートリッジのがたつきは、最小限に抑える必要がある。
【０００７】
そこで、本発明の目的は、画像形成装置の装置本体の収容室に装着された状態におけるがたつきを必要最小限に抑えつつ、収容室に対して円滑に着脱することができるカートリッジを提供することにある。
【課題を解決するための手段】
【０００８】
上記目的を達成するため、請求項１に記載の発明は、画像形成装置の装置本体において所定間隔を隔てて対向配置された一対の区画面によって区画された収容室に対して、一対の前記区画面の対向方向に直交する第１方向に沿って着脱自在に装着され、前記対向方向に長手で現像剤を収容する筐体を備えるカートリッジであって、前記筐体の前記対向方向における一対の側面において、前記対向方向および前記第１方向の両方に直交する第２方向から見たときの一方の前記側面の輪郭は、前記筐体で一対の前記区画面の両方に接触する部分において、前記収容室に対する前記カートリッジの装着方向最上流端の前記対向方向における他方の端を曲率中心とし、かつ、前記最上流端の前記対向方向における両端を結ぶ線分を曲率半径とする第１円弧上または前記第１円弧の内側に配置され、前記第２方向から見たときの他方の前記側面の輪郭は、前記最上流端の前記対向方向における一方の端を曲率中心とし、かつ、前記線分を曲率半径とする第２円弧上または前記第２円弧の内側に配置されることを特徴としている。
【０００９】
また、請求項２に記載の発明は、請求項１に記載の発明において、駆動力が伝達されることによって駆動する駆動部材と、前記側面に形成され、前記第1方向に沿う平坦面と、前記平坦面に設けられ、前記装置本体から駆動力を受けて前記駆動部材に伝達する伝達部とを備えていることを特徴としている。
また、請求項３に記載の発明は、請求項２に記載の発明において、前記筐体に設けられ、前記第２方向における前記平坦面の端から前記平坦面よりも前記対向方向における外側へ突出し、前記第２方向から見たときの前記側面の輪郭をなすリブを備えていることを特徴としている。
【００１０】
また、請求項４に記載の発明は、請求項２に記載の発明において、前記平坦面は、前記側面において凹設された部分に設けられていることを特徴としている。
また、請求項５に記載の発明は、請求項２ないし４のいずれかに記載の発明において、前記筺体の前記装着方向上流側端部において、前記対向方向において中央から外れた位置に、把持部を１つ備えていることを特徴としている。
【００１１】
また、請求項６に記載の発明は、請求項２ないし５のいずれかに記載の発明において、一対の前記側面のうち前記伝達部が設けられた前記側面とは別の前記側面に設けられ、前記装置本体から電力を受ける電極を備えていることを特徴としている。
【発明の効果】
【００１２】
請求項１に記載の発明によれば、このカートリッジは、画像形成装置の装置本体において一対の区画面によって区画された収容室に対して、一対の区画面の対向方向（以下では、単に「対向方向」ということがある。）に直交する第１方向に沿って着脱自在に装着される。
ここで、カートリッジの筐体において、一対の区画面の両方に接触する部分には、収容室に対するカートリッジの装着方向最上流端（以下では、単に「最上流端」ということがある。）が存在する。また、対向方向および第１方向の両方に直交する方向は、第２方向と定義される。
【００１３】
そして、カートリッジの筐体の対向方向における一対の側面において、第２方向から見たときの一方の側面の輪郭は、最上流端の対向方向における他方の端を曲率中心とし、かつ、最上流端の対向方向における両端を結ぶ線分を曲率半径とする第１円弧上または第１円弧の内側に配置される。
さらに、一対の側面において、第２方向から見たときの他方の側面の輪郭は、最上流端の対向方向における一方の端を曲率中心とし、かつ、前記線分を曲率半径とする第２円弧上または第２円弧の内側に配置される。
【００１４】
このような構成とは異なり、第２方向から見たときに、一対の側面の輪郭のどちらかが第１円弧および第２円弧のうち対応する円弧の外側に配置されると、少しでも姿勢が傾いた状態でカートリッジが収容室に対して着脱される場合には、カートリッジがどちらかの側面において区画面に引っ掛かるおそれがある。
しかし、本発明によれば、第２方向から見たときに、一対の側面の輪郭のそれぞれが第１円弧および第２円弧のうち対応する円弧上または円弧の内側に配置されているので、カートリッジが収容室に対して着脱されるときに、カートリッジの姿勢がいくら傾いていても、カートリッジが区画面に引っ掛かるおそれはない。
【００１５】
そして、第２方向から見たときの一対の側面の輪郭が第１円弧および第２円弧のうち対応する円弧に近づくようにしておけば、カートリッジが収容室に装着された状態において、側面と対応する区画面との間隔を狭くすることができ、カートリッジが収容室に装着された状態においてがたつくことを最小限に抑えることができる。
以上の結果、画像形成装置の装置本体の収容室に装着された状態におけるカートリッジのがたつきを必要最小限に抑えつつ、収容室に対してカートリッジを円滑に着脱することができる。
【００１６】
請求項２に記載の発明によれば、カートリッジでは、筐体の側面に、第1方向に沿う平坦面が形成されている。そして、この平坦面に、装置本体から駆動力を受けてカートリッジの駆動部材に伝達する伝達部が設けられているので、伝達部が曲面に設けられる場合に比べて、伝達部と装置本体側とを安定した状態で連結し、装置本体から伝達部に安定して駆動力を供給することができる。
【００１７】
請求項３に記載の発明によれば、第２方向における平坦面の端から平坦面よりも対向方向における外側へ突出するリブを筐体に設けるだけで、第２方向から見たときの側面の輪郭を簡易に構成することができる。
請求項４に記載の発明によれば、平坦面を、側面において凹設された部分に設けることで、簡易に構成することができる。
【００１８】
請求項５に記載の発明によれば、収容室に対するカートリッジの装着方向における筺体の上流側端部において、対向方向において中央から外れた位置には、把持部が１つ備えられている。そのため、片手で把持部を把持すること（いわゆるワンハンド）によって収容室に対してカートリッジを着脱できて使い勝手がよい。だが、対向方向において中央から外れた位置にある把持部を把持して収容室に対してカートリッジを着脱する際には、カートリッジの姿勢が必ず傾く。
【００１９】
しかし、本発明では、第２方向から見たときに、筐体の一対の側面の輪郭のそれぞれが第１円弧および第２円弧のうち対応する円弧上または円弧の内側に配置されているので、カートリッジが収容室に対して着脱されるときに、カートリッジの姿勢がいくら傾いていても、カートリッジが区画面に引っ掛かるおそれはない。
請求項６に記載の発明によれば、一対の側面のうち伝達部が設けられた側面とは別の側面には、装置本体から電力を受ける電極が設けられている。これにより、着脱時に抵抗となり、カートリッジの姿勢を不安定にさせる電極を、操作性を損なわせずにカートリッジの筐体の一端（前記別の側面）に集中させることができる。
【図面の簡単な説明】
【００２０】
【図１】本発明のカートリッジが装着された画像形成装置の一例としてのプリンタの一実施形態を右前から見た模式的な斜視図である。
【図２】ホルダを右前から見た斜視図である。
【図３】（ａ）は、カートリッジを右後から見た斜視図であり、（ｂ）は、カートリッジを左後から見た斜視図である。
【図４】カートリッジをホルダに対して着脱する手順を説明するための斜視図である。
【図５】（ａ）は、全てのカートリッジが装着されたホルダを左前から見た斜視図であり、（ｂ）は、ホルダに装着されたカートリッジの１つを左前から見た斜視図である。
【図６】全てのカートリッジが装着されたホルダを右前から見た斜視図である。
【図７】全てのカートリッジが装着されたホルダの底面図である。
【図８】カートリッジが装着されたホルダの正断面図である。
【図９】図８において、カートリッジがホルダに対して着脱される様子を示している。
【図１０】図８に比較例を適用した図である。
【図１１】図８に変形例１を適用した図である。
【図１２】（ａ）は、変形例２に係るカートリッジを右前から見た斜視図であり、（ｂ）は、変形例２に係るカートリッジを左前から見た斜視図である。
【図１３】図８に変形例２を適用した図である。
【図１４】（ａ）は、変形例３に係るカートリッジを右前から見た斜視図であり、（ｂ）は、変形例４に係るカートリッジを右前から見た斜視図であり、（ｃ）は、変形例５に係るカートリッジを左後から見た斜視図である。
【発明を実施するための形態】
【００２１】
１．プリンタの構成
図１は、本発明のカートリッジが装着された画像形成装置の一例としてのプリンタの一実施形態を右前から見た模式的な斜視図である。なお、方向について言及する場合には、図示した方向矢印を参照する（他の図についても同様）。ここで、左右方向と幅方向とは同じであり、上下方向と垂直方向とは同じである。そして、水平方向は、幅方向および前後方向を含んでいる。
【００２２】
図１に示すプリンタ１は、たとえばレーザプリンタである。そして、プリンタ１は、装置本体の一例としての本体ケーシング２を備えている。本体ケーシング２内には、複数（ここでは４つ）のカートリッジ３が、前後方向に沿って並列配置された状態で収容されている。
そして、本体ケーシング２内には、これらのカートリッジ３を保持するホルダ４が設けられている。ホルダ４は、これらのカートリッジ３を保持した状態で、本体ケーシング２に対して、たとえば前側から引出可能である。ホルダ４が本体ケーシング２から引き出された状態で、各カートリッジ３を、ホルダ４に対して上方から着脱することができる。
【００２３】
また、ホルダ４は、本体ケーシング２の一部として、本体ケーシング２に一体化（固定）されていてもよい。この場合、本体ケーシング２の上面を開放して、ホルダ４を上方へ露出させ、各カートリッジ３を、ホルダ４（換言すれば、本体ケーシング２）に対して上方から着脱することができる。
次に、ホルダ４およびカートリッジ３のそれぞれを詳説する。
（１）ホルダ
図２は、ホルダを右前から見た斜視図である。
【００２４】
図２に示すホルダ４は、平面視において前後方向に長手の矩形をなす枠体形状である。
詳しくは、ホルダ４は、幅方向において所定間隔を隔てて対向配置される一対の側板５と、一対の側板５の前端部間に架設される前板６と、一対の側板５の後端部間に架設される後板７と、前板６と後板７との間で前後に等間隔で並列配置されて側板５間に架設される３枚の仕切板８とを一体的に備えている。前板６、後板７および３枚の仕切板８は、いずれも、ほぼ同じ大きさを有する幅方向に長手の矩形状であり、前後方向に薄い。
【００２５】
一対の側板５のうち、左側の側板５を左側板５Ｌといい、右側の側板５を右側板５Ｒという。各側板５は、前後方向に長手の矩形状であり、幅方向において薄い。
一対の側板５において幅方向で互いに対向する面（左側板５Ｌでは右側面であり、右側板５Ｒでは左側面である。）は、幅方向において所定間隔を隔てて対向配置された一対の区画面９をなしている。ここで、一対の区画面９の対向方向Ｘは、幅方向である。ちなみに、対向方向Ｘに直交する方向は、上下方向（垂直方向）であり、第１方向Ｙと定義される。また、対向方向Ｘおよび第１方向Ｙの両方に直交する方向は、前後方向であり、第２方向Ｚと定義される。
【００２６】
以下では、左側の区画面９（左側板５Ｌの右側面）を左区画面９Ｌといい、右側の区画面９（右側板５Ｒの左側面）を右区画面９Ｒということがある。いずれの区画面９も、前後上下に沿って平坦な垂直面である。
そして、一対の側板５（詳しくは一対の区画面９）と前板６と後板７とによって囲まれた空間は、３枚の仕切板８によって、前後に並ぶ４つの収容室１０に仕切られている。４つの収容室１０の大きさは等しく、各収容室１０は、幅方向に長手の直方体形状に区画されている。各収容室１０は、上方および下方の両方へ向けて開放されている。
【００２７】
詳しくは、各収容室１０は、前後方向において、隣り合う前板６および最前列の仕切板８、隣り合う仕切板８同士、または、隣り合う最後尾の仕切板８および後板７によって区画されており、幅方向において、一対の区画面９によって区画されている。
ここで、左側板５Ｌにおいて、前後方向で各収容室１０に一致する部分のそれぞれには、金属製の板ばね材等からなる３つの電極１１が設けられている。各収容室１０に対応する３つの電極１１のうち、２つの電極１１は、前後に並んで配置されている一方で、残り１つの電極１１は、他の２つの電極１１に対して後下側へ離れて配置されている。
【００２８】
そして、各電極１１は、左区画面９Ｌに露出されて、対応する収容室１０内に臨みつつ、左側板５Ｌの左側面にも露出されている（後述する図５（ａ）参照）。各電極１１は、弾性力を有し、対応する収容室１０内に向けて右下側へ少し突出している。また、各電極１１は、左側板５Ｌの左側面から露出された部分において（図５（ａ）参照）、本体ケーシング２の電源（図示せず）に接続されている。
【００２９】
また、右側板５Ｒにおいて、前後方向で各収容室１０に一致する部分のそれぞれには、挿通穴１２と切欠き１３とが形成されている。各挿通穴１２は、右側板５Ｒを幅方向において貫通する丸穴であり、対応する収容室１０に連通している。各切欠き１３は、上向きに膨出する略半円形状をなし、右側板５Ｒを幅方向において貫通して、対応する収容室１０に連通している。各収容室１０に対応する挿通穴１２および切欠き１３において、切欠き１３は、右側板５Ｒの下端に位置し、挿通穴１２は、切欠き１３の後上側（右側板５Ｒの上端部側）に位置している。
【００３０】
また、前板６の前側面の幅方向中央位置には、略Ｕ字状のハンドル１４が一体的に設けられている。上述したようにホルダ４を本体ケーシング２から引き出す場合にハンドル１４が把持される。
（２）カートリッジ
図３において、（ａ）は、カートリッジを右後から見た斜視図であり、（ｂ）は、カートリッジを左後から見た斜視図である。
【００３１】
図３に示すカートリッジ３は、プリンタ１（図１参照）での画像形成に用いられる現像剤（ここではトナー）を少なくとも収容していればよい。ここで例示しているカートリッジ３は、静電潜像が形成される感光ドラム２０と、感光ドラム２０の静電潜像にトナーを供給して静電潜像を現像する現像ローラ２１とを備えたプロセスカートリッジである。なお、カートリッジ３は、感光ドラム２０を備えずに現像ローラ２１を備えた現像カートリッジであってもよい。
【００３２】
感光ドラム２０および現像ローラ２１は、駆動部材の一例として機能し、後述するように駆動力が伝達されることによって、それぞれの中心軸を中心として回転駆動する。
そして、カートリッジ３は、その外郭をなして感光ドラム２０および現像ローラ２１を回転自在に支持する筐体２２を備えている。筐体２２は、幅方向（上述した対向方向Ｘ）に長手のボックス形状であり、トナーを収容している。
【００３３】
筐体２２の外表面は、水平方向に沿って略平坦な上面および下面と、垂直方向に沿って略平坦な前面および後面と、左側面２２Ｌおよび右側面２２Ｒとによって区画されている。
ここで、左側面２２Ｌおよび右側面２２Ｒは、筐体２２の幅方向（対向方向Ｘ）における一対の側面の一例をなしている。そして、左側面２２Ｌを、一方の側面の一例とすると、右側面２２Ｒは、他方の側面の一例となる。逆に、右側面２２Ｒを、一方の側面の一例とすると、左側面２２Ｌは、他方の側面の一例となる。以下では、左側面２２Ｌを、一方の側面の一例とし、右側面２２Ｒを、他方の側面の一例とする。
【００３４】
左側面２２Ｌおよび右側面２２Ｒのいずれも、垂直方向（上述した第１方向Ｙ）に沿う平坦面ではない。詳しくは、以降で説明する。
まず、図３（ａ）に示すように、右側面２２Ｒには、幅方向内側（左側）へ凹設された部分（右凹部２３という。）が、２つ形成されている。
２つの右凹部２３のうち、一方の右凹部２３は、右側面２２Ｒの上側後端部に設けられた第１右凹部２３Ａとされ、他方の右凹部２３は、第１右凹部２３Ａの前下側で右側面２２Ｒの下端部に設けられた第２右凹部２３Ｂとされる。右側から見て、第１右凹部２３Ａは、円形状であり、第２右凹部２３Ｂは、上側へ膨出する半円形状である。
【００３５】
そして、右側面２２Ｒにおいて、各右凹部２３には、垂直方向（第１方向Ｙ）に沿う平坦面（右平坦面２４という。）が形成されている（設けられている）。右平坦面２４は、各右凹部２３の底をなしている。
第１右凹部２３Ａの右平坦面２４には、第１右凹部２３Ａに完全に収まるように第１伝達部２５が設けられ、第２右凹部２３Ｂの右平坦面２４には、第２右凹部２３Ｂに完全に収まるように第２伝達部２６が設けられている。第１伝達部２５および第２伝達部２６は、伝達部の一例として機能する。そして、第１伝達部２５および第２伝達部２６は、右側面２２Ｒよりも幅方向内側（左側）にあり、右側面２２Ｒより幅方向外側（右側）へはみ出ていない（後述する図８を参照）。
【００３６】
第１伝達部２５および第２伝達部２６は、ともに、右側から見たときに円形をなす幅方向に薄い円板形状である。第１伝達部２５および第２伝達部２６のそれぞれの右側面には、左側へ窪む溝２７が形成されている。各溝２７は、第１伝達部２５および第２伝達部２６のうち対応する伝達部の円中心を通って、伝達部の径方向に沿って直線状に延びている。
【００３７】
そして、第１伝達部２５は、現像ローラ２１の回転軸の右端部に連結され、現像ローラ２１に対して一体化されている。第２伝達部２６は、感光ドラム２０の回転軸の右端部に連結され、感光ドラム２０に対して一体化されている。後述するように、第１伝達部２５は、本体ケーシング２（図１参照）から駆動力を受けて現像ローラ２１に伝達し、第２伝達部２６は、本体ケーシング２から駆動力を受けて感光ドラム２０に伝達する。
【００３８】
一方、図３（ｂ）に示すように、左側面２２Ｌ（筐体２２の幅方向における一対の側面のうち第１伝達部２５および第２伝達部２６が設けられた右側面２２Ｒとは別の側面）には、幅方向内側（右側）へ凹設された部分（左凹部２８という。）が、前後方向に並んで２つ形成されている。
２つの左凹部２８のうち、前側の左凹部２８を第１左凹部２８Ａといい、後側の左凹部２８を第２左凹部２８Ｂという。第１左凹部２８Ａの前後方向寸法は、第２左凹部２８Ｂの前後方向寸法の約２倍である。
【００３９】
そして、左側面２２Ｌにおいて、各左凹部２８には、垂直方向（第１方向Ｙ）に沿う平坦面（左平坦面２９という。）が形成されている（設けられている）。左平坦面２９は、各左凹部２８の底をなしている。
各左凹部２８の左平坦面２９には、電極３０が設けられている。詳しくは、第１左凹部２８Ａの左平坦面２９には、２つの電極３０が前後に並んで設けられており、第２左凹部２８Ｂの左平坦面２９には、電極３０が１つ設けられている。そして、各電極３０は、左側面２２Ｌよりも幅方向内側（右側）にあり、左側面２２Ｌより幅方向外側（左側）へはみ出ていない（後述する図８を参照）。各電極３０は、後述するように本体ケーシング２（図１参照）から電力を受けて筐体２２内の部材（上述した感光ドラム２０や現像ローラ２１）に供給する。
【００４０】
そして、筐体２２の下面では、感光ドラム２０の下側外周面が下方に露出されている。
そして、筐体２２の上面の幅方向両端部には、幅方向外側へ突出する凸部３１が一体的に設けられている。凸部３１は、筐体２２の上面において対応する（幅方向で同じ側にある）幅方向端部の前後方向における全域に接続されている。そして、左側の凸部３１Ｌは、左側面２２Ｌよりも左側へ突出しており、右側の凸部３１Ｒは、右側面２２Ｒよりも右側へ突出している。
【００４１】
また、筐体２２の上面（左右の凸部３１も含む）において、幅方向において中央から外れた（ここでは右側へ外れた）位置に、１つの把持部３２が一体的に設けられている（図１も参照）。
また、筐体２２の上面において、把持部３２を避けた位置に、幅方向に細長い通過穴３３が形成されている（図１参照）。画像形成時において、本体ケーシング２から発せられたレーザビームが、各カートリッジ３の通過穴３３を通過して、感光ドラム２０の外周面に上から照射され、これにより、感光ドラム２０の外周面に静電潜像が形成される。
（３）ホルダに対するカートリッジの着脱
図４は、カートリッジをホルダに対して着脱する手順を説明するための斜視図である。
【００４２】
以下では、ホルダ４に対するカートリッジ３の着脱を説明するが、上述したように、ホルダ４が本体ケーシング２（図１参照）に対して引出可能であれば、本体ケーシング２から引き出されたホルダ４に対してカートリッジ３を着脱する。一方、ホルダ４が本体ケーシング２に固定されている場合には、本体ケーシング２の上面を開放することで上方に露出されたホルダ４に対してカートリッジ３を着脱する。
【００４３】
図４に示すように、各カートリッジ３は、ホルダ４（詳しくは、対応する収容室１０であり、図２参照）に対して、上方から、上下方向（上述した第１方向Ｙ）に沿って着脱自在に装着される。そのため、ホルダ４（収容室１０）に対するカートリッジ３の装着方向Ｓは、第１方向Ｙに沿って下側へ向かう方向である。よって、上述したカートリッジ３の筐体２２の上面は、筐体２２の、装着方向Ｓにおける上流側端部となる。
【００４４】
カートリッジ３が収容室１０に対して着脱される際には、把持部３２が把持される。ここで、上述したように、把持部３２は、カートリッジ３の筐体２２の上面において、幅方向中央から右側に外れた位置に１つ設けられている。そのため、この把持部３２を把持すると、カートリッジ３が収容室１０に対して着脱される際、前後方向（上述した第２方向Ｚ）から見て、カートリッジ３全体が、左側が右側より低くなるように、傾く（図４における最も前側のカートリッジ３を参照）。
【００４５】
図４では、最も前側のカートリッジ３だけがホルダ４に対して完全に装着されていない。
図５において、（ａ）は、全てのカートリッジが装着されたホルダを左前から見た斜視図であり、（ｂ）は、ホルダに装着されたカートリッジの１つを左前から見た斜視図である。図６は、全てのカートリッジが装着されたホルダを右前から見た斜視図である。図７は、全てのカートリッジが装着されたホルダの底面図である。
【００４６】
そして、図５（ａ）に示すように４つ全てのカートリッジ３がホルダ４に対して完全に装着されると、各カートリッジ３では、筐体２２の左右の凸部３１において、左側の凸部３１Ｌが、ホルダ４の左側板５Ｌに対して上から引っ掛かっており、右側の凸部３１Ｒが、ホルダ４の右側板５Ｒに対して上から引っ掛かっている。これにより、全てのカートリッジ３では、各カートリッジ３がホルダ４（対応する収容室１０であり、図２参照）に対して位置決めされており、カートリッジ３が収容室１０に装着された状態が維持されている。
【００４７】
この状態で、各カートリッジ３では、筐体２２において左右の凸部３１より下側の部分（図３参照）が、対応する収容室１０(図２参照)内に収まっている。そして、各カートリッジ３では、筐体２２の左側面２２Ｌ（図３参照）が、ホルダ４の左側板５Ｌ（図２参照）の右側面（左区画面９Ｌ）に対して右から対向しており、筐体２２の右側面２２Ｒ（図３参照）が、ホルダ４の右側板５Ｒ（図２参照）の左側面（右区画面９Ｒ）に対して左から対向している（後述する図８も参照）。
【００４８】
そして、この状態では、各カートリッジ３において、図６に示すように、第１伝達部２５が、ホルダ４の右側板５Ｒの対応する挿通穴１２から右側へ露出され、第２伝達部２６が、ホルダ４の右側板５Ｒの対応する切欠き１３から右側へ露出されている。
また、各カートリッジ３では、図７に示すように、筐体２２の下面に露出された感光ドラム２０の下側外周面が、下方へ向けて開放された収容室１０から下方に露出されている。そのため、画像形成時において、各カートリッジ３では、感光ドラム２０において現像された静電潜像（トナー像）が、下方へ露出された感光ドラム２０の下側外周面から、記録媒体に転写される。
【００４９】
そして、図５（ａ）に示すようにホルダ４にカートリッジ３が装着された状態では、カートリッジ３の筐体２２の左側面２２Ｌにおける３つの電極３０（図３（ｂ）参照）が、図５（ｂ）に示すように、ホルダ４の左側板５Ｌにおいて対応する電極１１（図２も参照）に接続されている。詳しくは、各電極１１は、自己の弾性力によって、筐体２２の左側面２２Ｌの左凹部２８内に入り込み、対応する電極３０に対して左側から圧接している（図７も参照）。これにより、上述した本体ケーシング２の電源（図示せず）から、電極１１を介して、各電極３０に電力が供給され得る。
【００５０】
ここで、図６に示すように、本体ケーシング２には、ホルダ４の右側板５Ｒの右側に、４つの第１入力部４０と、４つの第２入力部４１とが設けられている。
４つの第１入力部４０は、等しい間隔を隔てて前後に並んでおり、各第１入力部４０は、右側から見て、前後方向において同じ位置にある挿通穴１２と一致している。
４つの第２入力部４１は、４つの第１入力部４０より低い位置（下方）に配置されている。４つの第２入力部４１は、等しい間隔を隔てて前後に並んでおり、各第２入力部４１は、右側から見て、前後方向において同じ位置にある切欠き１３と一致している。
【００５１】
第１入力部４０および第２入力部４１は、ともに、前後方向に長手の円柱形状であり、それぞれの左側面には、左側へ突出する突起４２が一体的に設けられている。各突起４２は、第１入力部４０および第２入力部４１のうち対応する入力部の円中心を通って、入力部の径方向に沿って直線状に延びている。
そして、第１入力部４０および第２入力部４１は、それぞれの後端部において、本体ケーシング２の駆動源（図示せず）に接続されている。そのため、画像形成時には、第１入力部４０および第２入力部４１のそれぞれは、駆動源（図示せず）が発生した駆動力を受けて、それぞれの円中心を中心として回転する。
【００５２】
そして、第１入力部４０および第２入力部４１のそれぞれは、左右方向に進退自在である。図６では、第１入力部４０および第２入力部４１のいずれも、退避位置にあり、ホルダ４の右側板５Ｒより右側にある。
進出位置にある第１入力部４０および第２入力部４１は、図１および図７に示されている。図１に示すように進出位置にある第１入力部４０および第２入力部４１は、退避位置にあったとき（図６参照）よりも左側へ移動している。
【００５３】
そして、進出位置にある各第１入力部４０は、対応する（右側から見て一致する位置にある）挿通穴１２に対して右側から挿通され、進出位置にある各第２入力部４１は、対応する（右側から見て一致する位置にある）切欠き１３に対して右側から挿通されている。これにより、１つの第１入力部４０と１つの第２入力部４１とが、対応する収容室１０（図２参照）内に臨んでいる。
【００５４】
詳しくは、この状態で、第１入力部４０では、突起４２（図６参照）が、収容室１０に装着された対応するカートリッジ３の第１伝達部２５の溝２７（図６参照）に対して右側から嵌っている（図７も参照）。また、第２入力部４１では、突起４２（図６参照）が、収容室１０に装着された対応するカートリッジ３の第２伝達部２６の溝２７（図６参照）に対して右側から嵌っている（図７も参照）。
【００５５】
つまり、図７に示すように、進出位置にある第１入力部４０は、対応するカートリッジ３の第１伝達部２５（図６参照）に連結され、進出位置にある第２入力部４１は、対応するカートリッジ３の第２伝達部２６に連結されている。
そのため、画像形成時には、上述したように第１入力部４０および第２入力部４１のそれぞれが、駆動源（図示せず）が発生した駆動力を受けて回転すると、第１入力部４０から第１伝達部２５に駆動力が伝達され、第２入力部４１から第２伝達部２６に駆動力が伝達される。これにより、第１入力部４０および第２入力部４１と同様に、各カートリッジ３では、図３（ａ）を参照して、第１伝達部２５および第２伝達部２６も回転する。
【００５６】
ここで、上述したように、第１伝達部２５が現像ローラ２１に対して一体化され、第２伝達部２６が感光ドラム２０に対して一体化されていることから、第１伝達部２５および第２伝達部２６の回転に伴い、第１伝達部２５から現像ローラ２１に駆動力が伝達され、第２伝達部２６から感光ドラム２０に駆動力が伝達される。これにより、感光ドラム２０および現像ローラ２１は、上述したように回転駆動する。
【００５７】
そして、画像形成が終了して、カートリッジ３へのトナーの補充のためにカートリッジ３をホルダ４（対応する収容室１０であり、図２参照）から離脱させる際には、カートリッジ３の離脱に先立って、進出位置にあった第１入力部４０および第２入力部４１（図１参照）は、右側へ移動して、図６に示すそれぞれの退避位置まで退避する。
図８は、カートリッジが装着されたホルダの正断面図である。図９は、図８において、カートリッジがホルダに対して着脱される様子を示している。
【００５８】
次に、図８を参照して、カートリッジ３の筐体２２の左側面２２Ｌおよび右側面２２Ｒについて詳説する。ここで、説明の便宜上、図８では、ホルダ４の電極１１（図２参照）および上述した第１入力部４０および第２入力部４１（図６参照）の図示が省略されている（後述する図９、図１０、図１１および図１３においても同様。ただし、図９では、電極１１は図示されている。）。
【００５９】
図８では、ホルダ４（対応する収容室１０）に装着されたカートリッジ３を前後方向（上述した第２方向Ｚ）から見たときの左側面２２Ｌおよび右側面２２Ｒの輪郭が示されている。
まず、筐体２２において、ホルダ４の一対の区画面９の両方に接触する（接触し得る）部分は、左右の凸部３１のすぐ下の部分であり、この部分において、上述した装着方向Ｓ（下側へ向かう方向）における最上流端５０は、点線で示された部分である。
【００６０】
そして、図８では、第１円弧５１と、第２円弧５２が示されている。
第１円弧５１の曲率中心は、最上流端５０の幅方向（上述した対向方向Ｘ）における右端５３（他方の端）であり、第１円弧５１の曲率半径は、最上流端５０の幅方向における両端（右端５３および左端５４）を結ぶ線分５５である。
第２円弧５２の曲率中心は、最上流端５０の幅方向における左端５４（一方の端）であり、第２円弧５２の曲率半径は、第１円弧５１と同様に、線分５５である。
【００６１】
そして、左側面２２Ｌは、前後方向（第２方向Ｚ）から見たときの輪郭が第１円弧５１の内側に配置されるように、右下側へ傾斜している。ここで、前後方向から見たときの左側面２２Ｌの輪郭は、第１円弧５１上にあってもよいが（この場合、左側面２２Ｌの輪郭は、第１円弧５１に沿った円弧状になる。）、左側面２２Ｌは、少なくとも、その輪郭が第１円弧５１の外側へはみ出ないように、形成されている。
【００６２】
また、右側面２２Ｒは、前後方向（第２方向Ｚ）から見たときの輪郭が第２円弧５２の内側に配置されるように、左下側へ傾斜している。ここで、前後方向から見たときの右側面２２Ｒの輪郭は、第２円弧５２上にあってもよいが（この場合、右側面２２Ｒの輪郭は、第２円弧５２に沿った円弧状になる。）、右側面２２Ｒは、少なくとも、その輪郭が第２円弧５２の外側へはみ出ないように、形成されている。
【００６３】
以上の構成によれば、図９に示すように、カートリッジ３が収容室１０に対して着脱されるときに、カートリッジ３の姿勢がいくら傾いていても、カートリッジ３が区画面９に引っ掛かるおそれはない。
具体的には、カートリッジ３を収容室１０から離脱するときには、右側に偏って配置された把持部３２を把持して引き上げる。これにより、カートリッジ３は、上述した左端５４を支点として、把持部３２側（カートリッジ３の右側部分）が上昇するように、回動する。
【００６４】
そのため、カートリッジ３を収容室１０から離脱するときにカートリッジ３の姿勢が傾くが、この際、カートリッジ３において、筐体２２の左側面２２Ｌおよび右側面２２Ｒは、第１円弧５１（図８参照）および第２円弧５２の内側（第１円弧５１上および第２円弧５２上も含む）で移動し、ホルダ４の区画面９に接触しない。そして、引き続き左側面２２Ｌおよび右側面２２Ｒが区画面９に接触しない状態でカートリッジ３が収容室１０より上方まで移動すると、収容室１０に対するカートリッジ３の離脱が完了する。
【００６５】
逆に、カートリッジ３を収容室１０に装着するときには、把持部３２を把持してカートリッジ３を下ろす。この際、カートリッジ３の姿勢は、左端５４が右端５３より低くなるように傾いており、カートリッジ３では、左端５４が、最初にホルダ４（詳しくは、左区画面９Ｌの上端）に接触する。そして、引き続きカートリッジ３を下ろすと、カートリッジ３は、左端５４を支点として、把持部３２側（カートリッジ３の右側部分）が下降するように、回動する。
【００６６】
この際、カートリッジ３の姿勢は引き続き傾いているが、カートリッジ３において、筐体２２の左側面２２Ｌおよび右側面２２Ｒは、第１円弧５１（図８参照）および第２円弧５２の内側（第１円弧５１上および第２円弧５２上も含む）で移動し、ホルダ４の区画面９に接触しない。そして、カートリッジ３において右端５３側（詳しくは右側の凸部３１Ｒ）がホルダ４（右側板５Ｒ）に接触するまでカートリッジ３が回動すると、カートリッジ３の回動が停止し、収容室１０に対するカートリッジ３の装着が完了する（図８参照）。
【００６７】
そして、図８を参照して、第２方向Ｚ（前後方向）から見たときの一対の側面（左側面２２Ｌおよび右側面２２Ｒ）の輪郭が第１円弧５１および第２円弧５２のうち対応する円弧に近づくようにしておくとよい。そうすれば、カートリッジ３が収容室１０に装着された状態において、左側面２２Ｌおよび右側面２２Ｒのそれぞれと、対応する区画面９（左区画面９Ｌまたは右区画面９Ｒ）との間隔を狭くすることができ、カートリッジ３が収容室１０に装着された状態において幅方向にがたつくことを最小限（たとえば１〜３ｍｍ程度の常識的な範囲におけるがたつき）に抑えることができる。
【００６８】
以上の結果、プリンタ１の本体ケーシング２の収容室１０に装着された状態におけるカートリッジ３のがたつきを必要最小限に抑えつつ、収容室１０に対してカートリッジ３を円滑に着脱することができる。
図１０は、図８に比較例を適用した図である。
本発明の上記構成とは異なり、第２方向Ｚ（前後方向）から見たときに、一対の側面（左側面２２Ｌおよび右側面２２Ｒ）の輪郭のどちらかが第１円弧５１および第２円弧５２のうち対応する円弧の外側に配置される場合が、図１０に示される。この場合には、少しでも姿勢が傾いた状態でカートリッジ３が収容室１０に対して着脱されると、カートリッジ３がどちらかの側面（左側面２２Ｌまたは右側面２２Ｒ）において区画面９に引っ掛かり、カートリッジ３が傾いた状態で左右の区画面９に挟まってロックするおそれがある。
【００６９】
そして、本発明では、図３（ａ）に示すように、カートリッジ３において、筐体２２の右側面２２Ｒに、第1方向Ｙ（上下方向）に沿う右平坦面２４が形成されている。そして、右平坦面２４に、本体ケーシング２から駆動力を受けてカートリッジ３の感光ドラム２０および現像ローラ２１に伝達する第１伝達部２５および第２伝達部２６が設けられている。
【００７０】
そのため、第１伝達部２５および第２伝達部２６が曲面に設けられる場合に比べて、第１伝達部２５および第２伝達部２６と本体ケーシング２側（第１入力部４０および第２入力部４１）とを安定した状態で連結し（図１、図６および図７参照）、本体ケーシング２から第１伝達部２５および第２伝達部２６に安定して駆動力を供給することができる。
また、右平坦面２４を、右側面２２Ｒにおいて凹設された部分（右凹部２３）に設けることで、簡易に構成することができる。
【００７１】
そして、図４に示すように、収容室１０に対するカートリッジ３の装着方向Ｓにおける筐体２２の上流側端部（筐体２２の上面）において、対向方向Ｘ（幅方向）において中央から外れた位置には、把持部３２が１つ備えられている。そのため、片手で把持部３２を把持すること（いわゆるワンハンド）によって収容室１０に対してカートリッジ３を着脱できて使い勝手がよい。だが、幅方向において中央から外れた位置にある把持部３２を把持して収容室１０に対してカートリッジ３を着脱する際には、カートリッジ３の姿勢が必ず傾く（最も前側のカートリッジ３を参照）。
【００７２】
しかし、本発明では、図８において上述したように、第２方向Ｚ（前後方向）から見たときに、筐体２２の一対の側面（左側面２２Ｌおよび右側面２２Ｒ）の輪郭のそれぞれが第１円弧５１および第２円弧５２のうち対応する円弧上または円弧の内側に配置されている。そのため、カートリッジ３が収容室１０に対して着脱されるときに、カートリッジ３の姿勢がいくら傾いていても、カートリッジ３が区画面９に引っ掛かるおそれはない（図９参照）。
【００７３】
また、図３を参照して、筐体２２の幅方向における一対の側面のうち第１伝達部２５および第２伝達部２６が設けられた右側面２２Ｒとは別の左側面２２Ｌには、本体ケーシング２から電力を受ける電極３０が設けられている。
これにより、着脱時に抵抗となり、カートリッジ３の姿勢を不安定にさせる電極３０を、操作性を損なわせずにカートリッジ３の筐体２２の一端（左側面２２Ｌ）に集中させることができる。
２．変形例
（１）変形例１
図１１は、図８に変形例１を適用した図である。
【００７４】
上記実施形態では、ホルダ４（収容室１０）にカートリッジ３が装着された場合に、筐体２２の上面に設けられた左右の凸部３１がホルダ４の左側板５Ｌおよび右側板５Ｒに対して上から引っ掛かっている（図８参照）。
これに対し、図１１に示すように、筐体２２において左右の凸部３１を取り除いてもよい。この場合、ホルダ４の左右の側板５のそれぞれの下端部には、各収容室１０内へ向けて幅方向内側へ突出する突起７０が一体的に設けられている。
【００７５】
そして、ホルダ４（収容室１０）にカートリッジ３が装着された場合には、カートリッジ３は、左右の突起７０の上に載置されることで、ホルダ４（対応する収容室１０）に対して位置決めされ、カートリッジ３が収容室１０に装着された状態が維持される。なお、この状態で、各突起７０は、カートリッジ３の筐体２２の下面に露出された感光ドラム２０に干渉していない。
【００７６】
そして、変形例１の場合においても、上記実施形態と同様に、第２方向Ｚ（前後方向）から見たときに、筐体２２の一対の側面（左側面２２Ｌおよび右側面２２Ｒ）の輪郭のそれぞれが第１円弧５１および第２円弧５２のうち対応する円弧上または円弧の内側に配置されている。
（２）変形例２
図１２において、（ａ）は、変形例２に係るカートリッジを右前から見た斜視図であり、（ｂ）は、変形例２に係るカートリッジを左前から見た斜視図である。図１３は、図８に変形例２を適用した図である。
【００７７】
上記実施形態では、カートリッジ３の筐体２２において、図３に示すように第１伝達部２５、第２伝達部２６および電極３０が設けられる平坦面（右平坦面２４および左平坦面２９）は、筐体２２の対応する側面（左側面２２Ｌまたは右側面２２Ｒ）において凹設された部分（右凹部２３または左凹部２８）に設けられている。そのため、左側面２２Ｌおよび右側面２２Ｒのそれぞれにおいて、対応する右平坦面２４および左平坦面２９の占める割合が比較的小さい。
【００７８】
このような上記実施形態に代え、図１２に示すように、筐体２２にリブ６０を設けることが考えられる。リブ６０は、右平坦面２４および左平坦面２９のそれぞれに設けられている。
図１２（ａ）に示す右平坦面２４においては、右平坦面２４の前後方向（上述した第２方向Ｚ）における両端のそれぞれにリブ６０が設けられ、各リブ６０は、右平坦面２４の前後方向における端から、右平坦面２４よりも幅方向（上述した対向方向Ｘ）における外側（右側）へ突出している。
【００７９】
図１２（ｂ）に示す左平坦面２９においては、左平坦面２９の前後方向（第２方向Ｚ）における両端のそれぞれにリブ６０が設けられ、各リブ６０は、左平坦面２９の前後方向における端から、左平坦面２９よりも幅方向（対向方向Ｘ）における外側（左側）へ突出している。
そして、図１３に示すように、右平坦面２４および左平坦面２９のそれぞれに設けられたリブ６０が、前後方向（第２方向Ｚ）から見たときの対応する左側面２２Ｌまたは右側面２２Ｒの輪郭をなしている。
【００８０】
つまり、左平坦面２９のリブ６０（図１３における左側のリブ６０）の左端面が、上述した実施形態における左側面２２Ｌをなし、前後方向から見たときに、上述した第１円弧５１上または第１円弧５１の内側に配置される。また、右平坦面２４のリブ６０（図１３における右側のリブ６０）の右端面が、上述した実施形態における右側面２２Ｒをなしており、前後方向から見たときに、上述した第２円弧５２上または第２円弧５２の内側に配置される。
【００８１】
このようなリブ６０を筐体２２に設けるだけで、第２方向Ｚ（前後方向）から見たときの筐体２２の幅方向側面（左側面２２Ｌおよび右側面２２Ｒ）の輪郭を簡易に構成することができる。
（３）その他
図１４において、（ａ）は、変形例３に係るカートリッジを右前から見た斜視図であり、（ｂ）は、変形例４に係るカートリッジを右前から見た斜視図であり、（ｃ）は、変形例５に係るカートリッジを左後から見た斜視図である。
【００８２】
カートリッジ３に設けられた把持部３２に関し、図１４（ａ）に示す変形例３に係るカートリッジ３のように、筐体２２の上面において、この上面の幅方向中央を基準として対称となるように、把持部３２を幅方向において間隔を隔てて２つ設けてもよい。この場合、２つの把持部３２を持つことにより、傾きの少ない安定した姿勢（できるだけ水平方向に沿った姿勢）でカートリッジ３をホルダ４（収容室１０）に対して着脱することができる。
【００８３】
変形例３と同様の効果を奏するために、図１４（ｂ）に示す変形例４に係るカートリッジ３のように、筐体２２の上面の幅方向中央に、把持部３２を１つ設けてもよい。ただし、把持部３２の持ち方や、筐体２２内のトナーの偏りによるカートリッジ３の重心のずれや、左側面２２Ｌの電極３０とホルダ４の電極１１（図７参照）との摩擦といった要因によって、すぐにカートリッジ３が傾くので、水平方向に沿った姿勢を常に保った状態でカートリッジ３をホルダ４（収容室１０）に対して着脱することは、現実には難しい。
【００８４】
そして、カートリッジ３の筐体２２の左側面２２Ｌにおいて左平坦面２９に設けられた各電極３０（図３（ｂ）参照）は、図１４（ｃ）に示す変形例５に係るカートリッジ３のように、左平坦面２９でなく、左側面２２Ｌに設けられてもよい。ただし、この場合、各電極３０の左側面は、左側面２２Ｌから幅方向外側（左側）へ突出しないように、少なくとも左側面２２Ｌと面一となっている必要がある。
【００８５】
ここで、上述したように、左側面２２Ｌが右下側へ傾斜していることから（図８参照）、変形例５に係るカートリッジ３では、各電極３０の左側面も右下側へ傾斜している。そのため、各電極３０に対して、ホルダ４の左側板５Ｌにおいて対応する電極１１（図２参照）が上述したように左側から圧接すると（図７参照）、電極１１が電極３０を押す力の一部がカートリッジ３に対して上向きに作用し、カートリッジ３が不用意に上方へずれるおそれがある。そこで、収容室１０に装着されたカートリッジ３が上方へずれないように、収容室１０に装着されたカートリッジ３（図８参照）を爪などの係止部材によってホルダ４に係止しておくとよい。
【符号の説明】
【００８６】
１      プリンタ
２      本体ケーシング
３      カートリッジ
９      区画面
１０    収容室
２０    感光ドラム
２１    現像ローラ
２２    筐体
２２Ｌ  左側面
２２Ｒ  右側面
２３    右凹部
２４    右平坦面
２５    第１伝達部
２６    第２伝達部
３０    電極
３２    把持部
５０    最上流端
５１    第１円弧
５２    第２円弧
５３    右端
５４    左端
５５    線分
６０    リブ
Ｓ      装着方向
Ｘ      対向方向
Ｙ      第１方向
Ｚ      第２方向
【図１】
2010197654.tif 000003
【図２】
2010197654.tif 000004
【図３】
2010197654.tif 000005
【図４】
2010197654.tif 000006
【図５】
2010197654.tif 000007
【図６】
2010197654.tif 000008
【図７】
2010197654.tif 000009
【図８】
2010197654.tif 000010
【図９】
2010197654.tif 000011
【図１０】
2010197654.tif 000012
【図１１】
2010197654.tif 000013
【図１２】
2010197654.tif 000014
【図１３】
2010197654.tif 000015
【図１４】
2010197654.tif 000016